(57)【要約】【課題】この発明は、受信側機器に対してコピー制限の必要なコンテンツとコピー制限の不要なコンテンツとを適応的に出力可能とし、ユーザにとっての利便性を高め実用に適するようにしたコンテンツ送信装置、コンテンツ送信方法及びコンテンツ伝送システムを提供することを目的としている。【解決手段】送信側機器（１１）に受信側機器（１２）が電源投入状態であるか否かを検出させ、受信側機器（１２）が電源投入状態であるとき、送信側機器（１１）に受信側機器（１２）との認証処理を行なわせ、認証が失敗したとき送信側機器（１１）から受信側機器（１２）にコピー制限の不要なコンテンツを暗号化せずに送信させる。【選択図】    図１
2011119793.tif 000002
【特許請求の範囲】
【請求項１】
受信側機器と認証が成立した上でコピー制限の必要なコンテンツを暗号化して送信するコンテンツ送信装置であって、
前記受信側機器が電源投入状態であるか否かを検出する検出手段と、
前記検出手段により前記受信側機器が電源投入状態であることが検出されたとき、前記受信側機器に対して認証処理を行なう認証手段と、
前記認証手段による認証が失敗したとき前記受信側機器にコピー制限の不要なコンテンツを暗号化せずに送信する送信手段とを具備することを特徴とするコンテンツ送信装置。
【請求項２】
前記送信手段は、前記認証手段で認証が成立したとき前記受信側機器にコピー制限の必要なコンテンツを暗号化して送信することを特徴とする請求項１記載のコンテンツ送信装置。
【請求項３】
前記送信手段は、前記認証手段による認証が所定時間継続して失敗したとき、前記受信側機器にコピー制限の不要なコンテンツを暗号化せずに送信することを特徴とする請求項１記載のコンテンツ送信装置。
【請求項４】
前記認証手段は、前記検出手段により前記受信側機器が電源投入状態でないことが検出されたとき、前記受信側機器に対して認証が成立するまで認証処理を継続して行なうことを特徴とする請求項１記載のコンテンツ送信装置。
【請求項５】
前記受信側機器とＨＤＣＰ方式に基づく認証が成立した上でコピー制限の必要なコンテンツを暗号化して送信するコンテンツ送信装置であって、
前記検出手段は、前記ＨＤＣＰ方式における＋５Ｖパワーラインのレベルを反転させたとき、当該ＨＰＤラインのレベルが変更されない状態で、かつ、前記ＨＰＤラインのレベルが前記受信側機器の電源投入状態に対応しているとき、前記受信側機器が電源投入状態であると判断することを特徴とする請求項１記載のコンテンツ送信装置。
【請求項６】
受信側機器と認証が成立した上でコピー制限の必要なコンテンツを暗号化して送信するコンテンツ送信方法であって、
前記受信側機器が電源投入状態であるか否かを検出する工程と、
前記受信側機器が電源投入状態であることが検出されたとき、前記受信側機器に対して認証処理を行なう工程と、
認証が失敗したとき前記受信側機器にコピー制限の不要なコンテンツを暗号化せずに送信する工程とを有することを特徴とするコンテンツ送信方法。
【請求項７】
送信側機器が受信側機器と認証が成立した上でコピー制限の必要なコンテンツを暗号化して送信するコンテンツ伝送システムであって、
前記送信側機器に、前記受信側機器が電源投入状態であるか否かを検出させる検出手段と、
前記検出手段により前記受信側機器が電源投入状態であることが検出されたとき、前記送信側機器に、前記受信側機器との認証処理を行なわせる認証手段と、
前記認証手段による認証が失敗したとき、前記送信側機器に、前記受信側機器にコピー制限の不要なコンテンツを暗号化せずに送信させる送信手段とを具備することを特徴とするコンテンツ伝送システム。
【発明の詳細な説明】
【技術分野】
【０００１】
この発明は、受信側の機器と認証が成立した上でコピー制限の必要なコンテンツを暗号化して送信するコンテンツ送信装置、コンテンツ送信方法及びコンテンツ伝送システムを改良したものに関する。
【背景技術】
【０００２】
周知のように、デジタル化された映像データを伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像データのブランキング期間にデジタル音声データを多重化して音声伝送を行なうことが可能であること、デジタル映像データをＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
ところで、このようなＤＶＩ規格やＨＤＭＩ規格等に準拠するデジタル伝送規格を用いて、コピー制限の必要なデジタル映像データやデジタル音声データ等のコンテンツを伝送する場合には、そのコンテンツが不正にコピーされることを防止して著作権の保護を図るために、ＨＤＣＰ（high-bandwidth digital content protection）と称されるコピーガード方式が採用されている。
【０００５】
このＨＤＣＰ方式では、コンテンツの送信側機器が受信側機器に対して認証処理を実行し、認証が成立した場合にコンテンツを暗号化して送信している。そして、受信側機器では、受信した暗号化コンテンツを復号化して映像表示や音声再生等を行なっている。この場合、送信側機器では、認証成立後も受信側機器に対する認証処理を一定周期で繰り返し行なうことにより、受信側機器に対してなり済ましが行なわれていないかを確認しながら暗号化コンテンツの送信を行なっている。
【０００６】
一方、コピー制限の必要のないコンテンツに対しては、当然のことながら、不正コピー対策を施す必要がなく、つまり、ＨＤＣＰ方式における認証処理やコンテンツの暗号化等を行なう必要がなく、平文のままの映像ストリームや音声ストリームとしてコンテンツを送信することが可能である。
【０００７】
また、市場では、ＨＤＣＰ方式に対応していない、例えばグラフィックボードやモニタ等の受信側機器も数多く出回っている。このため、ＨＤＣＰ方式に対応した送信側機器としては、ＨＤＣＰ方式に非対応の受信側機器が接続されることを想定する必要がある。つまり、ＨＤＣＰ方式対応の送信側機器は、ＨＤＣＰ方式に非対応の受信側機器が接続された場合、認証処理を実行しても認証に失敗するので、認証に失敗した場合には、ＨＤＣＰ方式に非対応の受信側機器が接続されていると判断して、コピーガードの不要なコンテンツについては送信可能にすることが望ましいとされる。
【０００８】
しかしながら、ＨＤＣＰ方式対応の送信側機器が認証処理に失敗する原因としては、ＨＤＣＰ方式に非対応の受信側機器が接続されている場合だけでなく、ＨＤＣＰ方式対応の受信側機器が接続されている場合であっても、例えば、その電源がオフになっている等、受信側機器が認証処理の可能な状態になっていないにも関わらず、ＨＤＣＰ方式対応の送信側機器が認証処理を実行してしまうという場合が考えられる。
【０００９】
このような場合があることを想定すると、ＨＤＣＰ方式対応の送信側機器は、認証に失敗したとしても、接続されている受信側機器がいつ認証処理の可能な状態になっても良いように、継続的に認証処理を試み続ける必要が生じる。つまり、ＨＤＣＰ方式対応の受信側機器が接続されている場合であっても認証に失敗することがある以上、ＨＤＣＰ方式対応の送信側機器は、認証に失敗したからといって、ＨＤＣＰ方式に非対応の受信側機器が接続されていると判断し、コピー制限の不要なコンテンツに限って送信可能とするように切り替えることはできず、ユーザにとっての利便性が低下している。
【００１０】
特許文献１には、テレビジョン受信装置の切換制御部が、切換スイッチの内部接続をデジタル入力端子側に切り換え、そこにＤＶＩケーブルが接続されているか否かを判断し、ＤＶＩケーブルが接続されている場合にはＨＤＣＰ認証を開始し、ＨＤＣＰ認証に失敗した場合には、切換スイッチの内部接続を、コンポジット信号またはコンポーネント信号の入力端子であるアナログ入力端子側に切り換えるようにした構成が開示されている。
【先行技術文献】
【特許文献】
【００１１】
【特許文献１】特開２００６−０５０１７０号公報
【発明の概要】
【発明が解決しようとする課題】
【００１２】
そこで、この発明は上記事情を考慮してなされたもので、受信側機器に対してコピー制限の必要なコンテンツとコピー制限の不要なコンテンツとを適応的に出力可能とし、ユーザにとっての利便性を高め実用に適するようにしたコンテンツ送信装置、コンテンツ送信方法及びコンテンツ伝送システムを提供することを目的とする。
【課題を解決するための手段】
【００１３】
この発明に係るコンテンツ送信装置は、受信側機器と認証が成立した上でコピー制限の必要なコンテンツを暗号化して送信するものを対象としている。そして、受信側機器が電源投入状態であるか否かを検出する検出手段と、検出手段により受信側機器が電源投入状態であることが検出されたとき、受信側機器に対して認証処理を行なう認証手段と、認証手段による認証が失敗したとき受信側機器にコピー制限の不要なコンテンツを暗号化せずに送信する送信手段とを備えるようにしたものである。
【００１４】
また、この発明に係るコンテンツ送信方法は、受信側機器と認証が成立した上でコピー制限の必要なコンテンツを暗号化して送信する方法を対象としている。そして、受信側機器が電源投入状態であるか否かを検出する工程と、受信側機器が電源投入状態であることが検出されたとき、受信側機器に対して認証処理を行なう工程と、認証が失敗したとき受信側機器にコピー制限の不要なコンテンツを暗号化せずに送信する工程とを有するようにしたものである。
【００１５】
さらに、この発明に係るコンテンツ伝送システムは、送信側機器が受信側機器と認証が成立した上でコピー制限の必要なコンテンツを暗号化して送信するシステムを対象としている。そして、送信側機器に、受信側機器が電源投入状態であるか否かを検出させる検出手段と、検出手段により受信側機器が電源投入状態であることが検出されたとき、送信側機器に、受信側機器との認証処理を行なわせる認証手段と、認証手段による認証が失敗したとき、送信側機器に、受信側機器にコピー制限の不要なコンテンツを暗号化せずに送信させる送信手段とを備えるようにしたものである。
【発明の効果】
【００１６】
上記した発明によれば、受信側機器が電源投入状態であることが検出されたとき、送信側機器に受信側機器との認証処理を行なわせ、認証が失敗したとき送信側機器から受信側機器にコピー制限の不要なコンテンツを暗号化せずに送信させるようにしたので、受信側機器に対してコピー制限の必要なコンテンツとコピー制限の不要なコンテンツとを適応的に出力可能とし、ユーザにとっての利便性を高め実用に適するものとなる。
【図面の簡単な説明】
【００１７】
【図１】この発明の実施の形態を示すもので、コンテンツ伝送システムの概略を説明するために示すブロック構成図。
【図２】同実施の形態におけるコンテンツ伝送システムを構成する光ディスク記録再生装置の信号処理系を説明するために示すブロック構成図。
【図３】同実施の形態におけるコンテンツ伝送システムを構成するテレビジョン放送受信装置の一例を説明するために示すブロック構成図。
【図４】同実施の形態におけるコンテンツ伝送システムを構成するテレビジョン放送受信装置の他の例を説明するために示すブロック構成図。
【図５】同実施の形態における光ディスク記録再生装置が行なう主要な処理動作の一部を説明するために示すフローチャート。
【図６】同実施の形態における光ディスク記録再生装置が行なう主要な処理動作の他の一部を説明するために示すフローチャート。
【図７】同実施の形態における光ディスク記録再生装置が行なう主要な処理動作の残部を説明するために示すフローチャート。
【発明を実施するための最良の形態】
【００１８】
以下、この発明の実施の形態について図面を参照して詳細に説明する。図１は、この実施の形態で説明するコンテンツ伝送システムの概略を示している。このコンテンツ伝送システムは、コンテンツ送信側機器としての光ディスク記録再生装置１１と、コンテンツ受信側機器としてのテレビジョン放送受信装置１２とを、ＨＤＭＩ規格に準拠したデジタルインターフェース方式で接続したものである。
【００１９】
図１では、光ディスク記録再生装置１１とテレビジョン放送受信装置１２とを、ＨＤＣＰ方式に対応した伝送ケーブル１３で接続した状態を示している。このうち、光ディスク記録再生装置１１は、例えばＤＶＤ（digital versatile disk）等の光ディスクに対して、映像や音声等のデジタル化されたコンテンツを記録再生するものである。
【００２０】
また、テレビジョン放送受信装置１２は、デジタルやアナログのテレビジョン放送を受信し、その番組コンテンツの映像表示や音声再生を行なうものである。さらに、このテレビジョン放送受信装置１２は、光ディスク記録再生装置１１から供給されたコンテンツの映像表示や音声再生も行なうことができる。
【００２１】
そして、上記ＨＤＣＰ方式に対応した伝送ケーブル１３は、＋５Ｖパワーライン１３ａと、ＨＰＤ（hot plug detect）ライン１３ｂと、ＤＤＣ（display data channel）ライン１３ｃと、ＴＭＤＳ（transition minimized defferential signaling）ライン１３ｄとを備えている。
【００２２】
ここで、上記光ディスク記録再生装置１１は、上記テレビジョン放送受信装置１２にコンテンツを送信する場合、まず、伝送ケーブル１３の＋５Ｖパワーライン１３ａをＬ（low）レベルからＨ（high）レベルに反転して、自己の接続をテレビジョン放送受信装置１２に知らせる。すると、上記テレビジョン放送受信装置１２は、伝送ケーブル１３のＨＰＤライン１３ｂをＨレベルに設定して、自己の接続を上記光ディスク記録再生装置１１に知らせる。
【００２３】
このようにしてお互いの接続が確認されると、光ディスク記録再生装置１１は、ＤＤＣライン１３ｃを介して、テレビジョン放送受信装置１２からその属性情報であるＥＤＩＤ（extended display identification data）を取得し、テレビジョン放送受信装置１２が表示可能な解像度や色空間等に関する各種の情報を得る。
【００２４】
その後、光ディスク記録再生装置１１は、ＤＤＣライン１３ｃを介してテレビジョン放送受信装置１２とＨＤＣＰ方式における鍵交換を行なうことにより、テレビジョン放送受信装置１２に対する認証処理を実行する。そして、認証が成立した場合、光ディスク記録再生装置１１は、テレビジョン放送受信装置１２に送信すべきコンテンツを暗号化し、その暗号化コンテンツをテレビジョン放送受信装置１２にＴＭＤＳライン１３ｄを介して送信する。
【００２５】
これにより、テレビジョン放送受信装置１２では、光ディスク記録再生装置１１から供給された暗号化コンテンツを復号化し、その映像表示や音声再生を実行する。以後、光ディスク記録再生装置１１では、テレビジョン放送受信装置１２に対する認証処理を一定周期で繰り返し行ない、テレビジョン放送受信装置１２に対してなり済ましが行なわれていないかを確認しながら暗号化コンテンツの送信を行なっている。
【００２６】
図２は、上記した光ディスク記録再生装置１１の主要な信号処理系を示している。すなわち、ＢＳ（broadcasting satellite）／ＣＳ（communication satellite）デジタル放送受信用のアンテナ１４で受信した衛星デジタル放送信号は、入力端子１５を介して衛星デジタル放送用のチューナ部１６に供給されることにより、所望のチャンネルの放送信号が選局される。
【００２７】
そして、このチューナ部１６で選局された放送信号は、ＰＳＫ（phase shift keying）復調部１７に供給されてＴＳ（transport stream）が復調される。このＴＳは、ＴＳ処理部１８に供給されてデジタルの映像信号及び音声信号等に復号化された後、信号処理部１９に出力される。
【００２８】
また、地上波放送受信用のアンテナ２０で受信した地上デジタルテレビジョン放送信号は、入力端子２１を介して地上デジタル放送用のチューナ部２２に供給されることによって、所望のチャンネルの放送信号が選局される。
【００２９】
そして、このチューナ部２２で選局された放送信号は、ＯＦＤＭ（orthogonal frequency division multiplexing）復調部２３に供給されてＴＳが復調される。このＴＳは、上記ＴＳ処理部１８に供給されてデジタルの映像信号及び音声信号に復号化された後、上記信号処理部１９に出力される。
【００３０】
また、上記地上波放送受信用のアンテナ２０で受信した地上アナログテレビジョン放送信号は、入力端子２１を介して地上アナログ放送用のチューナ部２４に供給されることにより、所望のチャンネルの放送信号が選局される。そして、このチューナ部２４で選局された放送信号は、アナログ復調部２５に供給されてアナログの映像信号及び音声信号に復調された後、上記信号処理部１９に出力される。
【００３１】
ここで、上記信号処理部１９は、ＴＳ処理部１８から供給されたデジタルの映像信号及び音声信号に対して所定のデジタル信号処理を施し、グラフィック処理部２６及び音声処理部２７に出力している。また、この信号処理部１９は、上記アナログ復調部２５から供給されたアナログの映像信号及び音声信号をデジタル化し、そのデジタル化された映像信号及び音声信号に対して所定のデジタル信号処理を施した後、グラフィック処理部２６及び音声処理部２７に出力している。
【００３２】
このうち、グラフィック処理部２６は、信号処理部１９から供給されるデジタルの映像信号に、ＯＳＤ（on screen display）信号生成部２８で生成されるＯＳＤ信号を重畳して出力する機能を有する。また、このグラフィック処理部２６は、信号処理部１９から出力される映像信号と、ＯＳＤ信号生成部２８から出力されるＯＳＤ信号とを選択的に出力することや、両映像信号をそれぞれ画面の半分を構成するように組み合わせて出力することができる。
【００３３】
そして、グラフィック処理部２６から出力されたデジタルの映像信号は、映像処理部２９に供給される。この映像処理部２９は、入力されたデジタルの映像信号を所定のフォーマットのアナログ映像信号に変換し、出力端子３０を介して外部に導出可能としている。また、上記音声処理部２７は、入力されたデジタルの音声信号を所定のフォーマットのアナログ音声信号に変換し、出力端子３１を介して外部に導出可能としている。
【００３４】
ここで、この光ディスク記録再生装置１１は、上記した各種の受信動作や以下に述べる記録再生動作を含むその全ての動作を制御部３２によって統括的に制御されている。この制御部３２は、ＣＰＵ（central processing unit）３２ａを内蔵しており、光ディスク記録再生装置１１の本体に設置された操作部３３からの操作情報、または、リモートコントローラ３４から送出され受信部３５で受信した操作情報を受けて、その操作内容が反映されるように各部をそれぞれ制御している。
【００３５】
この場合、制御部３２は、メモリ部３２ｂを利用している。このメモリ部３２ｂは、主として、ＣＰＵ３２ａが実行する制御プログラムを格納したＲＯＭ（read only memory）と、該ＣＰＵ３２ａに作業エリアを提供するためのＲＡＭ（random access memory）と、各種の設定情報及び制御情報等が格納される不揮発性メモリとを有している。
【００３６】
また、この制御部３２には、ディスクドライブ部３６が接続されている。このディスクドライブ部３６は、例えばＤＶＤ等の光ディスク３７を着脱自在とするもので、装着された光ディスク３７に対してデジタルデータの記録再生を行なう機能を有している。
【００３７】
そして、上記制御部３２は、操作部３３またはリモートコントローラ３４の操作やＣＰＵ３２ａが実行する制御プログラムの指示等に基づいて、上記ＴＳ処理部１８から得られるＭＰＥＧ（moving picture experts group）２−ＴＳのデジタル信号を、暗号化・復号化部３８によって暗号化した後、ディスクドライブ部３６に供給して光ディスク３７に記録させるように制御することができる。
【００３８】
さらに、上記制御部３２は、操作部３３またはリモートコントローラ３４の操作やＣＰＵ３２ａが実行する制御プログラムの指示等に基づいて、上記アナログ復調部２５から得られるアナログの映像信号及び音声信号をエンコーダ３９によりＭＰＥＧ２−ＴＳに変換し、上記暗号化・復号化部３８によって暗号化した後、ディスクドライブ部３６に供給して光ディスク３７に記録させるように制御することができる。
【００３９】
また、上記制御部３２は、操作部３３またはリモートコントローラ３４の操作やＣＰＵ３２ａが実行する制御プログラムの指示等に基づいて、ディスクドライブ部３６により光ディスク３７からＭＰＥＧ２−ＴＳを読み出させ、上記暗号化・復号化部３８によって復号化した後、ＴＳ処理部１８に供給することによって、以後、上記したアナログの映像信号や音声信号の生成に供させるように制御することができる。
【００４０】
さらに、上記制御部３２には、ＨＤＤ（hard disk drive）４０が接続されている。そして、上記制御部３２は、操作部３３またはリモートコントローラ３４の操作やＣＰＵ３２ａが実行する制御プログラムの指示等に基づいて、上記ＴＳ処理部１８から得られるＭＰＥＧ（moving picture experts group）２−ＴＳのデジタル信号を、暗号化・復号化部３８によって暗号化した後、ＨＤＤ４０に供給してハードディスク４０ａに記録させるように制御することができる。
【００４１】
また、上記制御部３２は、操作部３３またはリモートコントローラ３４の操作やＣＰＵ３２ａが実行する制御プログラムの指示等に基づいて、上記アナログ復調部２５から得られるアナログの映像信号及び音声信号をエンコーダ３９によりＭＰＥＧ２−ＴＳに変換し、上記暗号化・復号化部３８によって暗号化した後、ＨＤＤ４０に供給してハードディスク４０ａに記録させるように制御することができる。
【００４２】
さらに、上記制御部３２は、操作部３３またはリモートコントローラ３４の操作やＣＰＵ３２ａが実行する制御プログラムの指示等に基づいて、ＨＤＤ４０によりハードディスク４０ａからＭＰＥＧ２−ＴＳを読み出させ、上記暗号化・復号化部３８によって復号化した後、ＴＳ処理部１８に供給することによって、以後、上記したアナログの映像信号や音声信号の生成に供させるように制御することができる。
【００４３】
また、上記制御部３２は、操作部３３またはリモートコントローラ３４の操作やＣＰＵ３２ａが実行する制御プログラムの指示等に基づいて、ディスクドライブ部３６により光ディスク３７から読み出したデータを、ＨＤＤ４０によりハードディスク４０ａに記録させるように制御することができる。
【００４４】
さらに、上記制御部３２は、操作部３３またはリモートコントローラ３４の操作やＣＰＵ３２ａが実行する制御プログラムの指示等に基づいて、ＨＤＤ４０によりハードディスク４０ａから読み出したデータを、ディスクドライブ部３６により光ディスク３７に記録させるように制御することができる。
【００４５】
また、上記制御部３２には、デジタル送受信部４１が接続されている。このデジタル送受信部４１は、ＨＤＣＰ方式に対応する、例えばＨＤＭＩ規格やＤＶＩ規格等に準拠したデジタルインターフェース機能を持つもので、入出力端子４２に接続された外部の受信側機器（この場合、テレビジョン放送受信装置１２）と制御部３２との相互間でのデータ伝送を可能にしている。
【００４６】
このため、上記制御部３２は、操作部３３またはリモートコントローラ３４の操作やＣＰＵ３２ａが実行する制御プログラムの指示等に基づき、デジタル送受信部４０及び入出力端子４１を介して、ＨＤＣＰ方式に対応した外部の受信側機器（この場合、テレビジョン放送受信装置１２）との間での認証処理や、コンテンツを暗号化して受信側機器に送信する処理等を実行することができる。
【００４７】
これにより、受信したテレビジョン放送番組、ディスクドライブ部３６により光ディスク３７から読み出したデータ、ＨＤＤ４０によりハードディスク４０ａから読み出したデータ等の各種コンテンツが、デジタル送受信部４０及び入出力端子４１を介して外部の受信側機器（この場合、テレビジョン放送受信装置１２）に伝送され、映像表示や音声再生等に供されることになる。
【００４８】
図３は、ＨＤＣＰ方式に対応した受信側機器（この場合、テレビジョン放送受信装置１２）の一例を示している。このテレビジョン放送受信装置１２は、送信側機器である光ディスク記録再生装置１１とＨＤＣＰ方式によるデータ伝送を行なうためのＨＤＣＰインターフェース４３を備えている。そして、このＨＤＣＰインターフェース４３は、テレビジョン放送受信装置１２の電源が投入されているとき駆動状態となる。
【００４９】
また、このテレビジョン放送受信装置１２は、ＨＤＣＰ方式対応の伝送ケーブル１３のうち、＋５Ｖパワーライン１３ａが接続される入力端子４４と、ＨＰＤライン１３ｂが接続される出力端子４５と、ＤＤＣライン１３ｃが接続される入出力端子４６と、ＴＭＤＳライン１３ｄが接続される入力端子４７とを備えている。
【００５０】
そして、光ディスク記録再生装置１１が＋５Ｖパワーライン１３ａをＬレベルからＨレベルに反転させると、その情報が入力端子４４を介してＨＤＣＰインターフェース４７に供給され、これにより、ＨＤＣＰインターフェース４７は、テレビジョン放送受信装置１２の電源が投入されて駆動状態であれば、光ディスク記録再生装置１１の接続を確認することができる。
【００５１】
また、上記出力端子４５は、＋５Ｖパワーライン１３ａのレベルに関わらず、テレビジョン放送受信装置１２の電源が投入されている状態で、所定の基準直流電圧レベル＋Ｂが印加されてＨレベルとなる電源端子４８に接続されている。このため、テレビジョン放送受信装置１２が電源投入状態であれば、出力端子４５を介してＨＰＤライン１３ｂがＨレベルとなり、光ディスク記録再生装置１１は、テレビジョン放送受信装置１２の接続を確認することができる。
【００５２】
さらに、上記入出力端子４６は、上記ＨＤＣＰインターフェース４３に接続されるとともに、テレビジョン放送受信装置１２に関するＥＤＩＤの格納されたＥＤＩＤメモリ４９に接続されている。また、このＥＤＩＤメモリ４９も、電源端子４８に接続されており、テレビジョン放送受信装置１２の電源が投入されて電源端子４８から所定の基準直流電圧レベル＋Ｂが供給されているとき駆動状態となる。
【００５３】
このため、光ディスク記録再生装置１１は、テレビジョン放送受信装置１２が電源投入状態であれば、ＤＤＣライン１３ｃ及び入出力端子４６を介してＥＤＩＤメモリ４９にアクセスし、テレビジョン放送受信装置１２に関するＥＤＩＤを取得することができる。また、光ディスク記録再生装置１１は、テレビジョン放送受信装置１２が電源投入状態であれば、ＤＤＣライン１３ｃ及び入出力端子４６を介してＨＤＣＰインターフェース４３と鍵交換を行なって認証処理を実行することができる。
【００５４】
さらに、上記入力端子４７は、ＨＤＣＰインターフェース４３に接続されている。これにより、テレビジョン放送受信装置１２の電源が投入されて駆動状態であれば、光ディスク記録再生装置１１からＴＭＤＳライン１３ｄに出力された暗号化コンテンツは、入力端子４７を介してＨＤＣＰインターフェース４３に供給されて復号化され、映像表示や音声再生等に供されることになる。
【００５５】
図４は、ＨＤＣＰ方式に対応した受信側機器（この場合、テレビジョン放送受信装置１２）の他の例を示している。図４において、図３と同一部分には同一符号を付して説明すると、上記出力端子４５及びＥＤＩＤメモリ４９が、電源端子４８に代えて入力端子４４に接続されている。このため、テレビジョン放送受信装置１２が電源投入状態であるか否かに関わらず、光ディスク記録再生装置１１が＋５Ｖパワーライン１３ａをＬレベルからＨレベルに反転させると、出力端子４５を介してＨＰＤライン１３ｂがＨレベルとなり、光ディスク記録再生装置１１は、テレビジョン放送受信装置１２の接続を確認することができる。
【００５６】
また、光ディスク記録再生装置１１が＋５Ｖパワーライン１３ａをＬレベルからＨレベルに設定すると、ＥＤＩＤメモリ４９が駆動状態となる。このため、光ディスク記録再生装置１１は、ＤＤＣライン１３ｃ及び入出力端子４６を介してＥＤＩＤメモリ４９にアクセスすることにより、ＥＤＩＤを取得することができる。
【００５７】
上記したように、ＨＤＣＰ方式に対応した受信側機器（この場合、テレビジョン放送受信装置１２）には、図３に示したように、送信側機器（この場合、光ディスク記録再生装置１１）による＋５Ｖパワーライン１３ａのレベル設定に関わらず、電源の投入状態でＨＰＤライン１３ｂがＨレベルになるとともに、ＥＤＩＤメモリ４９が駆動状態になるタイプ（以下、独立電源型と称する）と、図４に示したように、電源投入の有無に関わらず、送信側機器（この場合、光ディスク記録再生装置１１）が＋５Ｖパワーライン１３ａをＨレベルに設定したときに、ＨＰＤライン１３ｂがＨレベルになるとともに、ＥＤＩＤメモリ４９が駆動状態になるタイプ（以下、連動電源型と称する）との、２種類がある。
【００５８】
ところで、以上は、送信側機器から受信側機器にコピー制限の必要なコンテンツを送信する場合について説明したが、送信するコンテンツの中には、コピー制限の不要なものもある。このようなコンテンツの場合には、不正コピー対策を施す必要がなく、つまり、ＨＤＣＰ方式における認証処理やコンテンツの暗号化等を行なう必要がなく、平文のままの映像ストリームや音声ストリームとしてコンテンツを送信することができる。
【００５９】
また、送信側機器には、そのコピーガード方式（この場合、ＨＤＣＰ方式）に対応していない受信側機器が接続されることがある。つまり、実際上は、ＨＤＣＰ方式対応の送信側機器に対して、ＨＤＣＰ方式に非対応の受信側機器が接続されることを想定する必要がある。
【００６０】
そして、このような場合、送信側機器は、受信側機器との認証処理を実行しても認証に失敗するので、認証に失敗した場合には、ＨＤＣＰ方式に非対応の受信側機器が接続されていると判断して、コピー制限の不要なコンテンツについての送信を可能にすることが望ましいとされる。
【００６１】
しかしながら、ＨＤＣＰ方式対応の送信側機器が認証処理に失敗する原因としては、ＨＤＣＰ方式に非対応の受信側機器が接続されている場合だけでなく、ＨＤＣＰ方式対応の受信側機器が接続されている場合であっても、例えば、その電源が投入されていない等、受信側機器が認証処理に対応可能な状態になっていないにも関わらず、ＨＤＣＰ方式対応の送信側機器が認証処理を実行してしまうという場合が考えられる。
【００６２】
このような場合があることを考慮すると、ＨＤＣＰ方式対応の送信側機器は、認証に失敗したとしても、接続されている受信側機器がいつ認証処理に対応可能な状態になっても良いように、継続的に認証処理を試み続ける必要が生じる。つまり、ＨＤＣＰ方式対応の受信側機器が接続されている場合であっても認証に失敗することがある以上、ＨＤＣＰ方式対応の送信側機器は、認証に失敗したからといって、ＨＤＣＰ方式に非対応の受信側機器が接続されていると判断し、コピー制限の不要なコンテンツに限って送信可能とするように切り替えることはできず、ユーザにとっての利便性が低下することになる。
【００６３】
そこで、この実施の形態では、ＨＤＣＰ方式対応の送信側機器（光ディスク記録再生装置１１）が、接続されている受信側機器（テレビジョン放送受信装置１２）が独立電源型でＨＰＤライン１３ｂがＨレベルになっているか否かを判別する。そして、独立電源型でＨＰＤライン１３ｂがＨレベルになっていると判断した場合に、認証が成立すれば暗号化コンテンツを送信し、認証の失敗が予め設定された所定時間続いた場合には、接続されている受信側機器がＨＤＣＰ方式に非対応であると判断し、コピー制限の不要なコンテンツについての送信を可能とするようにしている。
【００６４】
すなわち、受信側機器が独立電源型でＨＰＤライン１３ｂがＨレベルになっているということは、その受信側機器が電源投入状態であり、ＨＤＣＰインターフェース４３が駆動状態、つまり、認証処理に対応可能な状態になっていることを意味する。そして、ＨＤＣＰインターフェース４３が認証処理に対応可能な状態になっているにも関わらず、認証の失敗が予め設定された所定時間続くということは、接続されている受信側機器がＨＤＣＰ方式に非対応であると判断することができる。このため、コピー制限の不要なコンテンツに限っての送信を可能とするように送信側機器を設定することができ、ユーザにとっての利便性を高めることが可能となる。
【００６５】
図５乃至図７は、送信側機器（光ディスク記録再生装置１１）の制御部３２が、受信側機器（テレビジョン放送受信装置１２）を判別してコピー制限の必要なコンテンツとコピー制限の不要なコンテンツとを適応的に出力する処理動作をまとめたフローチャートを示している。
【００６６】
すなわち、処理が開始（ステップＳ１）されると、制御部３２は、ステップＳ２で、ＨＰＤライン１３ｂがＨレベルになっているか否かを判別し、Ｈレベルであると判断された場合（ＹＥＳ）、ステップＳ３で、＋５Ｖパワーライン１３ａをＬレベルに設定し、ステップＳ４で、ＨＰＤライン１３ｂがＨレベルになったかＬレベルになったかを判別する。
【００６７】
そして、上記ステップＳ４でＨＰＤライン１３ｂがＨレベルであると判断された場合、＋５Ｖパワーライン１３ａがＬレベルであるのにＨＰＤライン１３ｂがＨレベルであることから、制御部３２は、ステップＳ５で、接続されているテレビジョン放送受信装置１２が独立電源型であると判断し、ステップＳ６で、＋５Ｖパワーライン１３ａをＨレベルに設定する。
【００６８】
その後、制御部３２は、ステップＳ７で、テレビジョン放送受信装置１２からＥＤＩＤを取得するとともに、テレビジョン放送受信装置１２に対してＨＤＣＰ方式の認証処理を実行する。そして、制御部３２は、ステップＳ８で、認証が成立したか否かを判別し、成立したと判断された場合（ＹＥＳ）、ステップＳ９で、コンテンツを暗号化してテレビジョン放送受信装置１２に送信し、処理を終了（ステップＳ１８）する。
【００６９】
また、上記ステップＳ８で認証が成立しないと判断された場合（ＮＯ）、制御部３２は、ステップＳ１０で、予め設定された所定時間が経過したか否かを判別し、経過していないと判断された場合（ＮＯ）、ステップＳ７の処理に戻される。
【００７０】
さらに、上記ステップＳ１０で所定時間が経過したと判断された場合（ＹＥＳ）、制御部３２は、ステップＳ１１で、送信すべきコンテンツがコピー制限の必要なコンテンツであるか否かを判別し、コピー制限の必要なコンテンツであると判断された場合（ＹＥＳ）、ステップＳ７の処理に戻される。
【００７１】
また、上記ステップＳ１１で送信すべきコンテンツがコピー制限の必要なコンテンツでないと判断された場合（ＮＯ）、制御部３２は、ステップＳ１２で、コンテンツを暗号化せずにテレビジョン放送受信装置１２に送信して、処理を終了（ステップＳ１８）する。
【００７２】
一方、上記ステップＳ４でＨＰＤライン１３ｂがＬレベルであると判断された場合、＋５Ｖパワーライン１３ａをＬレベルに設定したときＨＰＤライン１３ｂがＬレベルに変わったことから、制御部３２は、ステップＳ１３で、接続されているテレビジョン放送受信装置１２が連動電源型であると判断し、ステップＳ１４で、＋５Ｖパワーライン１３ａをＨレベルに設定する。
【００７３】
その後、制御部３２は、ステップＳ１５で、テレビジョン放送受信装置１２からＥＤＩＤを取得するとともに、テレビジョン放送受信装置１２に対してＨＤＣＰ方式の認証処理を実行する。そして、制御部３２は、ステップＳ１６で、認証が成立したか否かを判別する。
【００７４】
そして、上記ステップＳ１６で認証が成立しないと判断された場合（ＮＯ）、制御部３２は、ステップＳ１５の処理に戻され、認証が成立したと判断された場合（ＹＥＳ）、ステップＳ１７で、コンテンツを暗号化してテレビジョン放送受信装置１２に送信し、処理を終了（ステップＳ１８）する。
【００７５】
上記した実施の形態によれば、光ディスク記録再生装置１１が＋５Ｖパワーライン１３ａのレベルを変えたとき、そのレベル変更に追従してＨＰＤライン１３ｂのレベルが変動するか否かにより、テレビジョン放送受信装置１２が連動電源型か独立電源型かを判別する。このようにして独立電源型であると判断され、かつ、ＨＰＤライン１３ｂがＨレベルになっていることにより、テレビジョン放送受信装置１２が電源投入状態であって、そのＨＤＣＰインターフェース４３が認証処理に対応可能な状態になっていると判断する。
【００７６】
そして、ＨＤＣＰインターフェース４３が認証処理に対応可能な状態になっていると判断されたテレビジョン放送受信装置１２に対しては、認証の失敗が予め設定された所定時間続いた場合に、ＨＤＣＰ方式に非対応であると判断し、コピー制限の不要なコンテンツに限っての送信を可能とすることにより、認証処理が不要に継続されることを防止して、ユーザにとっての利便性を高めることが可能となる。
【００７７】
また、上記した実施の形態では、送信側機器として光ディスク記録再生装置１１を示したが、これに限らず、受信側機器との認証を行なった上で映像や音声等を含むデジタル化されたコンテンツを暗号化して送信可能とする機能を備えた機器を、広く対象とすることができる。
【００７８】
さらに、上記した実施の形態では、受信側機器としてテレビジョン放送受信装置１２を示したが、これに限らず、送信側機器の備えるコピーガード方式に対応した復号化手段を備えた機器や、送信側機器の備えるコピーガード方式に非対応の機器等を、広く対象とすることができる。
【００７９】
また、上記した実施の形態では、コピーガード方式としてＨＤＣＰ方式を用いることについて説明したが、これに限らず、受信側機器が電源投入状態であるか否か、つまり、認証処理に対応可能な状態になっているか否かを、送信側機器で判別することができる方式であれば、広く対象とすることができる。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８１】
１１…光ディスク記録再生装置、１２…テレビジョン放送受信装置、１３…伝送ケーブル、１３ａ…＋５Ｖパワーライン、１３ｂ…ＨＰＤライン、１３ｃ…ＤＤＣライン、１３ｄ…ＴＭＤＳライン、１４…アンテナ、１５…入力端子、１６…チューナ部、１７…ＰＳＫ復調部、１８…ＴＳ処理部、１９…信号処理部、２０…アンテナ、２１…入力端子、２２…チューナ部、２３…ＯＦＤＭ復調部、２４…チューナ部、２５…アナログ復調部、２６…グラフィック処理部、２７…音声処理部、２８…ＯＳＤ信号生成部、２９…映像処理部、３０，３１…出力端子、３２…制御部、３２ａ…ＣＰＵ、３２ｂ…メモリ部、３３…操作部、３４…リモートコントローラ、３５…受信部、３６…ディスクドライブ部、３７…光ディスク、３８…暗号化・復号化部、３９…エンコーダ、４０…ＨＤＤ、４０ａ…ハードディスク、４１…デジタル送受信部、４２…入出力端子、４３…ＨＤＣＰインターフェース、４４…入力端子、４５…出力端子、４６…入出力端子、４７…入力端子、４８…電源端子、４９…ＥＤＩＤメモリ。
【図１】
2011119793.tif 000003
【図２】
2011119793.tif 000004
【図３】
2011119793.tif 000005
【図４】
2011119793.tif 000006
【図５】
2011119793.tif 000007
【図６】
2011119793.tif 000008
【図７】
2011119793.tif 000009